(57)【要約】【課題】親機ハンドセット及び子機にハウリングが生じることを防止することができるコードレス電話機を提供する。【解決手段】電話回線に接続される親機１と、親機１と無線通信するとともにハンズフリー状態となる機能を有し且つ親機１に載置されて充電される親機ハンドセット３７と、親機１と無線通信するとともにハンズフリー状態となる機能を有し且つ親機１と離間して配置される子機２と、を備えたコードレス電話機において、親機ハンドセット３７が親機１に載置されて充電されている場合には、親機１と親機ハンドセット３７との無線通信を禁止する制御手段１１を有する構成とした。【選択図】      図４
2006191386.tif 000002
【特許請求の範囲】
【請求項１】
電話回線に接続される親機と、前記親機から呼び出されると自動的に無線接続すると共にハンズフリー状態となる機能を有し且つ前記親機に載置されて充電される親機ハンドセットと、を備えたコードレス電話機において、
前記親機ハンドセットが前記親機で充電されている場合には、前記親機ハンドセットがハンズフリー状態になることを禁止する制御手段を有することを特徴とするコードレス電話機。
【請求項２】
電話回線に接続される親機と、前記親機とは別体の充電器と、前記親機から呼び出されると自動的に無線接続すると共にハンズフリー状態となる機能を有し、前記親機、前記充電器いずれでも載置され充電可能な子機と、を備えたコードレス電話機において、
前記子機が前記親機で充電されている場合には、前記子機がハンズフリー状態になることを禁止する制御手段を有することを特徴とするコードレス電話機。
【請求項３】
少なくとも親機と、該親機と無線接続可能な親機ハンドセットと子機と、からなるコードレス電話装置において、
前記親機は、電話回線に接続され、前記親機ハンドセット又は前記子機を載置し充電可能であり、載置されたものが親機ハンドセットか子機かを判別する判別手段と、制御手段と、を有し、
前記親機ハンドセットは、前記親機から呼び出されると自動的に無線接続すると共にハンズフリー状態となる機能を有し且つ前記親機に載置されて充電され、
前記子機は、前記親機から呼び出されると自動的に無線接続すると共にハンズフリー状態となる機能を有し、
前記制御手段は、前記親機で充電されているものが前記親機ハンドセットであるか前記子機であるかを前記判別手段の判別結果に基づいて判断し、
前記親機ハンドセットが充電されている場合には、前記親機から前記親機ハンドセットへの呼出を禁止し、
前記子機が充電されている場合には、前記親機から前記子機への呼出を禁止することを特徴とするコードレス電話機。
【請求項４】
前記判別手段は、前記親機ハンドセットと前記子機との形状の違いを判別する形状判別手段であり、
前記制御手段は、前記形状判別手段の判別結果に基づいて、前記親機で充電されているものが前記親機ハンドセットであるか前記子機であるかを判断することを特徴とする請求項３に記載のコードレス電話機。
【請求項５】
前記判別手段は、前記親機ハンドセット又は前記子機が充電されているか否かを検知する充電検知手段と、前記充電検出手段の検知結果を示す無線信号を前記親機に送信する無線信号送信手段と、を有し、
前記制御手段は、前記無線信号送信手段から送信される前記無線信号に基づいて、前記親機で充電されているものが前記親機ハンドセットであるか前記子機であるかを判断することを特徴とする請求項３に記載のコードレス電話機。
【発明の詳細な説明】
【技術分野】
【０００１】
本発明は、コードレス電話機に係り、電話回線に接続される親機と、親機と無線通信するとともにハンズフリー状態となる機能を有し且つ親機に載置されて充電される親機ハンドセットと、親機と無線通信するとともにハンズフリー状態となる機能を有し且つ親機と離間して配置される子機と、を備えたコードレス電話機に関する。
【背景技術】
【０００２】
従来のコードレス電話機の中には、電話回線に接続される親機と、親機と無線通信するとともにハンズフリー状態にする機能を有し且つ親機に載置されて充電される親機ハンドセットと、親機と無線通信するとともにハンズフリー状態にする機能を有し且つ親機と離間して配置される子機と、を備えたものが知られている。このコードレス電話機によれば、親機から子機へ無線通信により呼び出しを行うと、自動的に親機と子機とが接続されるとともに、子機がハンズフリー状態となり、親機のユーザが発声する音声（例えば、「起きなさい、ごはんですよ」など）が子機のスピーカから出力される。
【特許文献１】特開平７−３０３１２９号公報
【発明の開示】
【発明が解決しようとする課題】
【０００３】
ところで、上記したコードレス電話機では、親機ハンドセットが親機に載置されて充電された状態で、親機から親機ハンドセットに無線通信により呼び出しを行うと、親機で充電中の親機ハンドセットがハウリングを起こしてしまう問題がある。
【０００４】
このようにハウリングが生じるのは、親機ハンドセットを親機で充電する際に、例えば親機ハンドセットのテンキーやスピーカ、マイクなどが配置された面を下側にして充電すると、親機ハンドセットのスピーカから出力した音が、親機の親機ハンドセットを載置するくぼみ内で反響や伝道してマイクに入力されるからである。
【０００５】
そこで、本発明は、上記事情を考慮し、親機ハンドセット及び子機にハウリングが生じることを防止することができるコードレス電話機を提供することを目的とする。
【課題を解決するための手段】
【０００６】
請求項１に記載の発明は、電話回線に接続される親機と、前記親機から呼び出されると自動的に無線接続すると共にハンズフリー状態となる機能を有し且つ前記親機に載置されて充電される親機ハンドセットと、を備えたコードレス電話機において、前記親機ハンドセットが前記親機で充電されている場合には、前記親機ハンドセットがハンズフリー状態になることを禁止する制御手段を有することを特徴とする。
請求項２に記載の発明は、電話回線に接続される親機と、前記親機とは別体の充電器と、前記親機から呼び出されると自動的に無線接続すると共にハンズフリー状態となる機能を有し、前記親機、前記充電器いずれでも載置され充電可能な子機と、を備えたコードレス電話機において、前記子機が前記親機で充電されている場合には、前記子機がハンズフリー状態になることを禁止する制御手段を有することを特徴とする。
【０００７】
請求項３に記載の発明は、少なくとも親機と、該親機と無線接続可能な親機ハンドセットと子機と、からなるコードレス電話装置において、前記親機は、電話回線に接続され、前記親機ハンドセット又は前記子機を載置し充電可能であり、載置されたものが親機ハンドセットか子機かを判別する判別手段と、制御手段と、を有し、前記親機ハンドセットは、前記親機から呼び出されると自動的に無線接続すると共にハンズフリー状態となる機能を有し且つ前記親機に載置されて充電され、前記子機は、前記親機から呼び出されると自動的に無線接続すると共にハンズフリー状態となる機能を有し、前記制御手段は、前記親機で充電されているものが前記親機ハンドセットであるか前記子機であるかを前記判別手段の判別結果に基づいて判断し、前記親機ハンドセットが充電されている場合には、前記親機から前記親機ハンドセットへの呼出を禁止し、前記子機が充電されている場合には、前記親機から前記子機への呼出を禁止することを特徴とする。
【０００８】
請求項４に記載の発明は、前記判別手段は、前記親機ハンドセットと前記子機との形状の違いを判別する形状判別手段であり、前記制御手段は、前記形状判別手段の判別結果に基づいて、前記親機で充電されているものが前記親機ハンドセットであるか前記子機であるかを判断することを特徴とする請求項３に記載のコードレス電話機である。
【０００９】
請求項５に記載の発明は、前記判別手段は、前記親機ハンドセット又は前記子機が充電されているか否かを検知する充電検知手段と、前記充電検出手段の検知結果を示す無線信号を前記親機に送信する無線信号送信手段と、を有し、前記制御手段は、前記無線信号送信手段から送信される前記無線信号に基づいて、前記親機で充電されているものが前記親機ハンドセットであるか前記子機であるかを判断することを特徴とする請求項３に記載のコードレス電話機である。
【発明の効果】
【００１０】
請求項１に記載の発明によれば、コードレス電話機が制御手段を有しているため、親機ハンドセットが親機に載置され充電されている場合には、親機ハンドセットがハンズフリー状態となることを防止できるため、充電中の親機ハンドセットにハウリングが生じることを防止することができる。
【００１１】
請求項２に記載の発明によれば、コードレス電話機は子機が親機に載置されて充電されるものであり、制御手段により子機が親機に載置され充電されている場合には子機がハンズフリー状態となることを禁止する。これにより、充電中の子機にハウリングが生じることを防止することができる。
【００１２】
請求項３に記載の発明によれば、制御手段により親機で充電されているものが親機ハンドセットであるか子機であるかが判別手段の判別結果に基づいて判断され、親機ハンドセットが充電されている場合には親機と子機との無線通信のみが可能となり、子機が充電されている場合には親機と親機ハンドセットとの無線通信のみが可能となる。これにより、親機ハンドセット又は子機にハウリングが生じてしまうことを防止することができるとともに、親機ハンドセット又は子機のうち親機で充電されていない一方のみをハンズフリー状態にすることができ所定の音声を出力させることができる。
【００１３】
請求項４に記載の発明によれば、判別手段が親機ハンドセットと子機との形状の違いを判別する形状判別手段であるため、制御手段は、形状判別手段の判別結果に基づいて、親機で充電されているものが親機ハンドセットであるか子機であるかを容易に判断することができる。
【００１４】
請求項５に記載の発明によれば、充電検知手段により親機ハンドセット又は子機が充電されているか否かを検知し、充電検知手段の検知結果を示す無線信号を無線信号送信手段から親機に送信することにより、制御手段は、無線信号送信手段から送信される無線信号に基づいて、親機で充電されているものが親機ハンドセットであるか子機であるかを容易に判断することができる。
【発明を実施するための最良の形態】
【００１５】
次に、本発明の一実施形態に係るコードレス電話機について、図面を参照して説明する。
【００１６】
図１は本発明の一実施形態に係るコードレス電話機の一例となるコードレス電話機の概略構成図を示しており、親機１は親機ハンドセット３７及び子機２と無線接続可能である。また、親機ハンドセット３７は親機１に載置することにより充電可能であり、子機２は専用の充電器５０に載置することにより充電可能である。
【００１７】
更に、子機２と親機ハンドセット３７は共にハンズフリー機能を有しており、子機２が充電器５０に載置された状態で子機２のハンズフリー兼用のスピーカ２６及びマイクロホン２８が外側に露出した状態となるので、ユーザは子機２を充電器５０に載置したままの状態で通話することができる。一方、親機ハンドセット３７は、親機ハンドセット３７が親機１に載置された状態では、親機ハンドセット３７のハンズフリー用のマイクロホン３９及びスピーカ３８（図２参照）が外側に露出した状態とならない為、ハンズフリー通話を行うことができない。仮に図１に示す状態で親機ハンドセット３７をハンズフリー状態にすると、ハウリングが生じてしまう。
【００１８】
尚、子機２と親機ハンドセット３７は同じ形状であるため、図１において、親機ハンドセット３７を充電器５０に載置し充電することが可能であり、逆に、子機２を親機１に載置し充電することも可能である。
【００１９】
図２はコードレス電話機を構成する親機の通信回路構成を示すブロック図であり、図３はコードレス電話機を構成する子機２（又は親機ハンドセット３７）の通信回路構成を示すブロック図である。
【００２０】
図２において、３は着信検出回路であり、電話回線Ｌに接続されて着信を検出する。４はネットワーク回路であり、電話回線Ｌに接続されて回線の開放・閉結を行う。
【００２１】
５はチャネル・音声コーデックであり、チャネルコーデック部と音声コーデック部とが１つのＩＣに組み込まれている。チャネルコーデック部は周期検出回路６による公衆用基地局の周期検出以外に電界強度の検出、ＴＤＭＡ／ＴＤＤ（時分割多重接続／時分割複信）処理、ＣＲＣエラーの検出、ＱＰＳＫ方式の復調等を行う。音声コーデック部は音声を圧縮・伸張したり、アナログとディジタルの変換を行う。３６は切替回路であり、ネットワーク回路４への接続を親機ハンドセット３７のスピーカ３８とマイクロホン３９側かチャネル・音声コーデック５側に切り替える。また、切替回路３６は、制御回路１１により制御されており、所定の場合には、親機ハンドセット３７をハンズフリー状態にする。
【００２２】
７は受信回路であり、アンテナ８を介して子機２、親機ハンドセット３７あるいは公衆用基地局からの電波を受信する。９は送信回路であり、チャネル・音声コーデック５からの信号をアンテナ８を介して子機２、親機ハンドセット３７あるいは公衆用基地局へ発信する。１０はＰＬＬであり、受信回路７と送信回路９の送受信周波数を変える。
【００２３】
１１はマイクロプロセッサからなる制御回路であり、動作のプログラムを記憶したＲＯＭ１２に基づき各部を制御する。また、制御回路１１は、親機ハンドセット３７又は子機２が後述の充電回路１７により充電されているか否かを、親機１に載置されている親機ハンドセット３７又は子機２と充電回路１７との電気的接続状態の有無により検出する。１３はＲＡＭであり、制御回路１１の動作に必要な情報を記憶する。なお、親機ハンドセット３７をハンズフリー状態に切り替えるための所定の情報は、予めＲＡＭ１３に記憶されている。１４はベル（スピーカ）であり、着信時に呼出音を出力する。１５は液晶の表示手段であり、電話番号などを表示する。１６は入力手段であり、電話番号の入力や子機２を呼び出す操作を行う。１７は充電回路であり、親機１の電源である家庭用電源と接続されていると共に親機１に載置されている親機ハンドセット３７又は子機２への充電を行う。４０はハンズフリー回路であり、例えば入力手段１６により所定の情報の入力が行われると、子機２からの無線信号を受信したときに親機ハンドセット３７をハンズフリー状態に切り替える。
【００２４】
図３において、２１は受信回路であり、アンテナ２２を介して親機１あるいは公衆用基地局からの電波を受信する。２３は送信回路（無線信号送信手段）であり、後述のチャネル・音声コーデック２５からの信号をアンテナ２２を介して親機１あるいは公衆用基地局へ電波を発信する。２４はＰＬＬであり、受信回路２１と送信回路２３の送受信周波数を変える。
【００２５】
２５はチャネル・音声コーデックであり、チャネルコーデック部と音声コーデック部とが１つのＩＣに組み込まれている。チャネルコーデック部は周期検出回路６による公衆用基地局の周期検出以外に電界強度の検出、ＴＤＭＡ／ＴＤＤ（時分割多重接続／時分割複信）処理、ＣＲＣエラーの検出、ＱＰＳＫ方式の復調等を行う。音声コーデック部は音声を圧縮・伸張したり、アナログとディジタルの変換を行う。
【００２６】
２６はスピーカであり、増幅回路２７で増幅されたチャネル・音声コーデック２５の電気信号を音声に変換する。２８はマイクロホンであり、音声を電気信号に変換する。２９は増幅回路であり、マイクロホン２８の出力を増幅してチャネル・音声コーデック２５に出力する。
【００２７】
３０はマイクロプロセッサからなる制御回路であり、動作のプログラムを記憶したＲＯＭ３１に基づき各部を制御する。３２はＲＡＭであり、制御回路３０の動作に必要な情報を記憶する。３３はベル（スピーカ）であり、着信時に呼出音を出力する。３４は液晶の表示手段であり、電話番号などを表示する。３５は入力手段であり、電話番号の入力や子機２を呼び出す操作を行う。４２は電源回路であり、家庭用電源と接続されると共に、親機１に載置されている場合に親機１の充電回路１７により充電される。４１はハンズフリー回路であり、例えば入力手段３５により所定の情報の入力が行われると、親機１からの無線信号を受信したときに子機２をハンズフリー状態に切り替える。なお、子機２をハンズフリー状態に切り替えるための所定の情報は、予めＲＡＭ３２に記憶されている。
【００２８】
図４は、コードレス電話機を構成する親機１による子機呼出処理の第１実施例を示すフローチャートである。
【００２９】
親機１の入力手段１６により子機２の呼出操作が行われたか否かが制御回路１１により判断される（Ｓ１００）。入力手段１６により子機２の呼出操作が行われたと制御回路１１により判断されると、親機ハンドセット３７又は子機２が充電回路１７により充電されているか否かが制御回路１１により判断される（Ｓ１０２）。親機ハンドセット３７又は子機２が充電回路１７により充電されていると制御回路１１により判断されると、送信回路９が制御されて、送信回路９から子機２への無線信号（呼出信号）の送信が禁止される（Ｓ１０４）。これにより、仮に子機２が親機１に載置され充電されていても、呼び出されることがないため、子機２が充電中にハンズフリー状態となることを防止できハウリングが生じることがない。
【００３０】
一方、親機ハンドセット３７又は子機２が充電回路１７により充電されていないと制御回路１１により判断されると、送信回路９が制御されて、送信回路９から子機２への無線信号（呼出信号）が送信される（Ｓ１０６）。親機１から子機２に無線信号が送信されると、所定の場合に子機２がハンズフリー状態となり、親機１のユーザが発声する音声（例えば、「起きなさい、ごはんですよ」など）が子機２のスピーカ２６から出力される。
【００３１】
尚、第１実施例において、子機呼出専用ボタンを有しないコードレス電話であって、子機呼出ボタンを操作すると、子機２および親機ハンドセット３７を同時に呼び出すコードレス電話である場合には、Ｓ１００ステップで呼び出し操作があり、Ｓ１０２ステップで子機２又は親機ハンドセット３７が充電中であると、Ｓ１０４ステップにおいて、子機２と親機ハンドセット３７の両方の呼出を禁止し、Ｓ１０２ステップで、子機２又は親機ハンドセットが充電中でなければ、Ｓ１０６ステップで子機２及び親機ハンドセット３７の呼び出しをする構成としても良い。
又、第１実施例において、子機呼出専用ボタンを有しないコードレス電話であって、子機呼出ボタンを操作すると、子機２および親機ハンドセット３７を同時に呼び出すコードレス電話である場合であり、更に、子機２と親機ハンドセット３７の外見が同じ（又は似通っている）場合でも子機２と親機ハンドセット３７が常に離れた位置にある場合には以下の構成としても良い。
例えば、Ｓ１００ステップにおいて呼出操作があり、Ｓ１０２ステップにおいて、充電中であれば、Ｓ１０４ステップにおいて、子機のみ呼出を行い、一方、Ｓ１０２ステップにおいて、充電中でなければ、子機２及び親機ハンドセット３７の両方を呼出す構成としても良い。
このような構成とするのは、仮に子機２と親機ハンドセット３７の外見が同じ（又は似通っている）場合でも、子機２と親機ハンドセット３７が常に離れた位置にある場合には、親機１に載置されているのは常に親機ハンドセット３７である可能性が高く、子機２である可能性が低い。この為、親機１の充電回路１７が充電を行っていると制御回路１１が判定した場合には、親機１で充電されているのは親機ハンドセット３７である可能性が高く、この場合には、子機２のみ呼出を行えばハウリングを回避できる。一方、親機１の充電回路１７が充電を行っていないと制御回路１１が判定した場合には、言うまでもなく、子機２親機ハンドセット３７の両方を呼び出してもハウリングが生じない。
【００３２】
このように、第１実施例では、親機１に子機２又は親機ハンドセット３７が載置されていると、子機２及び親機ハンドセット３７の呼び出しを禁止するか、或いは子機２のみ呼び出す為、ハウリングが生じることがない。
しかしながら、第１実施例（図４に示す動作）では、ユーザが、子機２と親機ハンドセット３７のどちらかを親機１に載置して使用している場合（常に親機ハンドセット３７が親機１に載置されているとは限らない場合）、親機ハンドセット３７が親機１に載置され充電されているにもかかわらず、子機２には呼び出しを行うことができない場合が想定される。図５に示す実施例では、親機１に載置されているのが親機ハンドセット３７か子機２であるかを判定し、その判定結果に基づいて親機１が呼び出す相手先を選択しているため、図４に示す実施例よりもユーザにとって更に使い勝手の良いものとなっている。
【００３３】
図５は、親機１による子機又は親機ハンドセット呼出処理の一例を示すフローチャートである。
【００３４】
親機１の入力手段１６により親機ハンドセット３７及び子機２の呼出操作が行われたか否かが制御回路１１により判断される（Ｓ１１０）。入力手段１６により親機ハンドセット３７及び子機２の呼出操作が行われたと制御回路１１により判断されると、親機ハンドセット３７又は子機２が充電回路１７により充電されているか否かが制御回路１１により判断される（Ｓ１１２）。
【００３５】
次に、親機ハンドセット３７又は子機２が充電回路１７により充電されていると制御回路１１により判断されると、親機ハンドセット３７が充電回路１７により充電されているか否かが制御回路１１により判断される（Ｓ１１４）。
【００３６】
ここで、制御回路１１により親機ハンドセット３７又は子機２を判別する方法としては、親機ハンドセット３７と子機２の形状の違いを判別する形状判別手段を親機１に設け、この形状判別手段により親機ハンドセット３７と子機２の形状の違いを判別し、この判別結果に基づいて制御回路１１により親機ハンドセット３７又は子機２のどちらが充電回路１７により充電されているかを判断させるようにしてもよい。
【００３７】
具体的には、充電させる際に親機ハンドセット３７又は子機２が載置される親機１上の載置台（図示省略）の形状を、親機ハンドセット３７又は子機２の一方の形状と同様の形状となるように形成し、親機ハンドセット３７又は子機２の一方のみが親機１に載置できるようにしておき、親機ハンドセット３７又は子機２の他方は親機１に載置できないようにしておくとともに、親機１上の載置台（図示省略）に親機ハンドセット３７又は子機２の一方が載置されたときに起動するスイッチ（図示省略、形状判別手段）を載置台に設けることが好ましい。
【００３８】
また、子機２が充電中か否かを検出する充電検出回路（図示省略、充電検知手段）を子機２に設け、子機２が充電中の場合には、制御回路３０により送信回路（無線信号送信手段）２３を制御して、充電中であることを示す無線信号を親機１へ送信することにより、子機２が充電中であることを親機１の制御回路１１に容易に判断させることができる。
【００３９】
また、親機ハンドセット３７が充電中か否かを検出する充電検出回路（図示省略、充電検知手段）と、無線信号を親機１へ送信する送信回路（無線信号送信手段）と、を親機ハンドセット３７に設け、親機ハンドセット３７が充電中の場合には、充電中であることを示す無線信号を親機１へ送信することにより、親機ハンドセット３７が充電中であることを親機１の制御回路１１に容易に判断させることができる。
親機ハンドセット３７が充電回路１７により充電されていると制御回路１１により判断されると、送信回路９が制御されて、送信回路９から子機２にのみ無線信号（呼出信号）が送信される（ステップＳ１１６）。一方、親機ハンドセット３７が充電回路１７により充電されていないと制御回路１１により判断されると、送信回路９が制御されて、送信回路９から親機ハンドセット３７にのみ無線信号（呼出信号）が送信される（Ｓ１１８）。このように、親機１上で充電されていない方の親機ハンドセット３７又は子機２のみに無線信号を送信することにより、親機ハンドセット３７又は子機２のうち親機１上で充電されていない一方のみを所定の場合にハンズフリー状態にすることができ、親機１のユーザが発声する音声（例えば、「起きなさい、ごはんですよ」など）を親機ハンドセット３７又は子機２のうち親機１上で充電されていない一方のスピーカ３８、２６から出力させることができる。
【００４０】
さらに、親機ハンドセット３７及び子機２が充電回路１７により充電されていないと制御回路１１により判断されると、送信回路９が制御されて、送信回路９から親機ハンドセット３７及び子機２の双方へ無線信号（呼出信号）が送信される（Ｓ１２０）。これにより、親機１のユーザが発声する音声（例えば、「起きなさい、ごはんですよ」など）を親機ハンドセット３７及び子機２の双方のスピーカ３８、２６から出力させることができる。
【００４１】
図６は、親機１の入力手段１６に子機２の呼出キーと親機ハンドセット３７の呼出キーとを別個独立して設けた場合における親機１による子機又は親機ハンドセット呼出処理の一例を示すフローチャートである。
【００４２】
親機１の入力手段１６により親機ハンドセット３７の呼出操作が行われたか否かが制御回路１１により判断される（Ｓ１３０）。入力手段１６により親機ハンドセット３７の呼出操作が行われたと制御回路１１により判断されると、親機ハンドセット３７が充電回路１７により充電されているか否かが制御回路１１により判断される（Ｓ１３２）。親機ハンドセット３７が充電回路１７により充電されていると制御回路１１により判断されると、親機１のスピーカ１４により所定の音声が発声（エラー報知）される（Ｓ１３４）。これにより、親機１のユーザに、親機ハンドセット３７が充電中であることを認識させることができ、親機ハンドセット３７の呼び出しができないことを知らせることができる。この結果、親機ハンドセット３７が充電中に親機ハンドセットがハンズフリー状態となることを防止でき、親機ハンドセット３７のスピーカ３８から出力された音声が充電部のくぼみを介して親機ハンドセット３７のマイクロホン３９から入力されることで生じる親機ハンドセット３７のハウリングを防止できる。
【００４３】
一方、親機ハンドセット３７が充電回路１７により充電されていないと制御回路１１により判断されると、送信回路９が制御されて、送信回路９から親機ハンドセット３７に無線信号（呼出信号）が送信される（Ｓ１３６）。これにより、所定の場合には親機ハンドセット３７をハンズフリー状態にすることができる。
【００４４】
また、入力手段１６により親機ハンドセット３７の呼出操作が行われていないと制御回路１１により判断されると、入力手段１６により子機２の呼出操作が行われた否かが制御回路１１により判断される（Ｓ１３８）。入力手段１６により子機２の呼出操作が行われたと制御回路１１により判断されると、子機２が親機１の充電回路１７により充電されているか否かが制御回路１１により判断される（Ｓ１４０）。子機２が充電回路１７により充電されていると制御回路１１により判断されると、親機１のスピーカ１４により所定の音声が発声（エラー報知）される（Ｓ１４２）。これにより、親機１のユーザに、子機２が充電中であることを認識させることができ、子機２の呼び出しができないことを知らせることができる。この結果、子機２が充電中に親機ハンドセットがハンズフリー状態となることを防止でき、子機２のスピーカ２６から出力された音声が充電部のくぼみを介して子機２のマイクロホン２８から入力されることで生じる子機２のハウリングを防止できる。
【００４５】
一方、子機２が充電回路１７により充電されていないと制御回路１１により判断されると、送信回路９が制御されて、送信回路９から子機２に無線信号（呼出信号）が送信される（Ｓ１４４）。これにより、所定の場合には、子機２をハンズフリー状態にすることができる。
【００４６】
なお、上記実施形態では、親機１から親機ハンドセット３７又は子機２に無線信号を用いて内線呼出しを行う場合を例にとり説明したが、これに限られることはなく、例えば、親機１が電話回線Ｌからの着信を検出したときに外線を保留にした状態で、親機１から親機ハンドセット３７又は子機２に無線信号を用いて内線呼出しを行う場合にも適用することができる。
【００４７】
又、本実施例ではデジタルコードレス電話について実施したが、アナログコードレス電話においても同様に実施可能である。
【図面の簡単な説明】
【００４８】
【図１】本発明の一実施形態に係るコードレス電話機の概略構成図である。
【図２】本発明の一実施形態に係るコードレス電話機を構成する親機のブロック図である。
【図３】本発明の一実施形態に係るコードレス電話機を構成する子機のブロック図である。
【図４】本発明の一実施形態に係るコードレス電話機を構成する親機による子機呼出処理の一例を示すフローチャートである。
【図５】本発明の一実施形態に係るコードレス電話機を構成する親機よる子機又は親機ハンドセット呼出処理の一例を示すフローチャートである。
【図６】本発明の一実施形態に係るコードレス電話機を構成する親機の入力手段に子機の呼出キーと親機ハンドセットの呼出キーとを別個独立して設けた場合における親機による子機又は親機ハンドセット呼出処理の一例を示すフローチャートである。
【符号の説明】
【００４９】
１        親機
２        子機
１１      制御回路（制御手段）
３７      親機ハンドセット
【図１】
2006191386.tif 000003
【図２】
2006191386.tif 000004
【図３】
2006191386.tif 000005
【図４】
2006191386.tif 000006
【図５】
2006191386.tif 000007
【図６】
2006191386.tif 000008